(57)【特許請求の範囲】
【請求項１】
所定位置に取付けられたカメラ筐体内に、旋回及び上下方向へ揺動自在にカメラ本体を収容すると共に、前記カメラ本体を、前記カメラ本体のレンズ部が突出する部分に開口部を有する半球状のカメラカバーで覆った複合カメラにおいて、
前記カメラカバーは、前記開口部がほぼ半周に亘って開口され、前記開口部の長手方向に対向する両辺に折り返し部を形成したことを特徴とする複合カメラ。
【請求項２】
前記カメラカバーは、円筒状部、半球状部及び前記円筒状部と前記半球状部を連設する補強段差部より形成したことを特徴とする請求項１記載の複合カメラ。
【請求項３】
前記カメラカバーを、金属板を一体成形してなる請求項１または２記載の複合カメラ。
【発明の詳細な説明】
【０００１】
【発明の属する技術分野】
この発明は主として監視カメラに使用する複合カメラのカメラに関する。
【０００２】
【従来の技術】
従来ビル内の監視や、パチンコ店、本屋などの店内監視を行う監視システムに、図６に示すような複合カメラがよく使用されている。
【０００３】
前記複合カメラは、ドームカメラなどとも呼ばれていて、天井などにカメラベースａを介して取付けられたカメラ筐体ｂ内に、旋回及び揺動自在にカメラ本体（図示せず）が収容されており、カメラ本体は、金属などにより半球状に成形されたカメラカバーｃにより下方より覆われていて、内部の電気回路を隠すと同時に、電気回路より発生される不要な輻射が外部へ放出されるのを防止するシールドとしての機能も有している。
【０００４】
またカメラカバーｃには、カメラ本体のレンズ部ｄが突出する円弧状の開口部ｅが開口されていると共に、カメラカバーｃは、カメラ筐体ｂの開口部に取付けられた半球状の透明カバーｆにより覆われている。
【０００５】
前記構成された複合カメラは、監視センターからの指令によりカメラ本体が３６０度旋回しながら、同時に上下方向へほぼ９０度揺動して、室内や店内の隅々まで撮像し、映像を監視センターへ送るようになっており、カメラ本体が旋回すると、カメラカバーｃも図７の（イ）に示すように水平方向へ旋回し、またカメラ本体が上下方向へ揺動すると、カメラカバーｃの開口部ｅ内を図７の（イ）に示すように上下方向へ揺動する。
【０００６】
しかし前記複合カメラのように、カメラ本体が上下へ９０度揺動するようにしたものでは、カメラ本体を下方へ揺動させてレンズ部ｄをＡ点からＢ点へ移動させて撮像した後、いままでと反対側の地点のＡ点からＢ点までを撮像する場合、カメラ本体を１８０度旋回させながら、カメラ本体を上方へ揺動させて、レンズ部ｄをＡ点まで戻す動作を必要とし、反対側の地点を撮像するまでに時間がかかって緊急事態に対応できない不具合がある。
【０００７】
かかる不具合を解消するため、カメラ本体を上下方向へ１８０度揺動できるようにした複合カメラが実用化されている。
【０００８】
この複合カメラでは、カメラ本体のレンズ部ｄを１８０度揺動させるため、カメラカバーｃに図７の（ロ）に示すように、上下方向にほぼ１８０度に亘って円弧状の開口部ｅ´が開口されており、カメラ本体を上下方向へ９０度揺動させて、Ａ点からＢ点までの映像を得た後、反対側の映像を得る場合は、さらにカメラ本体を上方へ揺動させて、レンズ部ｄをＢ点からＣ点まで移動させることにより、カメラ本体を旋回させずに反対側の映像が得られるようになるため、緊急事態にも迅速に対応することができるようになる。
【０００９】
【発明が解決しようとする課題】
しかし、カメラカバーｃにほぼ１８０度に亘って円弧状の開口部ｇを形成すると、カメラカバーｃの剛性が低下して、カメラカバーｃを取付けている部品などから受ける圧力によりカメラカバーｃが変形し、その結果カメラカバーｃがカメラ本体を旋回及び揺動させる手段などと干渉したり、カメラカバーｃを覆う透明カバーｆと干渉して、カメラ本体の円滑な旋回や揺動ができなくなったり、干渉部分が破損するなどの不具合があった。
【００１０】
この発明はかかる従来の不具合を改善するためになされたもので、カメラカバーの剛性を低下させることなく、ほぼ１８０度に亘って開口部を設けることができる複合カメラを安価に提供することを目的とするものである。
【００１１】
【課題を解決するための手段】
前記目的を達成するため本発明は、所定位置に取付けられたカメラ筐体内に、旋回及び上下方向へ揺動自在にカメラ本体を収容すると共に、前記カメラ本体を、前記カメラ本体のレンズ部が突出する部分に開口部を有する半球状のカメラカバーで覆った複合カメラにおいて、前記カメラカバーは、前記開口部がほぼ半周に亘って開口され、前記開口部の長手方向に対向する両辺に折り返し部を形成したものである。
【００１２】
前記構成により、折り返し部の折り曲げ部にエッジが形成されて、半球状部の剛性が増すため、半球状部にほぼ半周に亘って開口部を形成しても、半球状部の合成が低下するのを最小限にできる。
【００１３】
前記目的を達成するため本発明は、前記カメラカバーは、円筒状部、半球状部及び前記円筒状部と前記半球状部を連設する補強段差部より形成したものである。
【００１４】
前記構成により、円筒状部と補強段部及び補強段部と半球状部との境界部に、リング状のエッジが形成されるため、これらエッジによりカメラカバーの横方向の剛性が向上し、カメラ本体を覆うように取付けた際、取付け部品などにより横方向より外力が作用しても変形することがないので、監視カメラとして使用した際、カメラカバーが旋回手段や揺動手段、透明カバーなどと干渉することがない。
【００１５】
前記目的を達成するため本発明は、前記カメラカバーを、金属板をプレス成形により一体成形したものである。
【００１６】
前記構成により、カメラカバーが容易かつ安価に製作できると共に、軽量化が図れるため、高速旋回にも容易に対応することができる。
【００１７】
【発明の実施の形態】
以下この発明の実施の形態を図１ないし図５に示す図面を参照して詳述する。
【００１８】
図１はこの発明の実施の形態になるカメラカバーを採用した複合カメラの斜視図、図２はこの発明の実施の形態になるカメラカバーの正面図、図３は同平面図、図４は図２のＸ−Ｘ線に沿う断面図、図５は図２のＹ円内の拡大断面図である。
【００１９】
図１においてカメラ筐体１はカメラ本体（図示せず）を収容し、カメラベース２により所定位置、例えば天井などに取付けられている。
【００２０】
カメラ筐体１内には図示しない旋回手段により３６０度旋回自在に、また図示しない揺動手段により上下方向へほぼ１８０度揺動自在にカメラ本体が設けられていると共に、カメラ本体は、金属により一体成形されたカメラカバー３により下方より覆われている。
【００２１】
前記カメラカバー３は図２に示すように、上部に円筒状部３ａが、そして下部に半球状部３ｂが形成されており、これら円筒状部３ａと半球状部３ｂの間は、円筒状部３ａ側より半球状部３ｂ側へ順次小径となるテーパ状の補強段差３ｃにより連設されていて、この補強段差３ｃによりカメラカバー３の横方向の剛性が強化されている。
【００２２】
すなわち、円筒状部３ａと半球状部３ｂの間にテーパ状の補強段差３ｃを設けることにより、円筒状部３ａと補強段差３ｃの間及び補強段差３ｃと半球状部３ｂの境界に、図４に示すようにそれぞれ２本のエッジ３ｄ，３ｅが形成される。
【００２３】
これらエッジ３ｄ，３ｅはリング状となっているため、横方向より加わる外力に対して強い反発力を有し、これによってカメラカバー３の横方向の剛性が向上するため、外圧に対してカメラカバー３が変形するのを防止できるようになる。
【００２４】
一方カメラカバー３の半球状部３ｂには、上下方向のほぼ半周に亘って開口部３ｆが円弧状に形成されている。
【００２５】
この開口部３ｆはカメラ本体のレンズ部４が突出するもので、この開口部３ｆを設けることによりカメラカバー３の剛性が低下するのを防止するため、開口部３ｆの両端に折り返し部３ｇが形成されている。
【００２６】
折り返し部３ｇは、半球状部３ｂに開口部３ｆを形成する際、開口部３ｆの端部を内側へ折り曲げることにより形成されていて、折り返し部３ｇの折り曲げ部に図５に示すようにエッジ３ｈが形成されるため、これらエッジ３ｈにより半球部３ｂの剛性が強化されるようになっている。
【００２７】
また前記カメラカバー３の外周面は、カメラ筐体１の開口部に取付けられた半球状の透明カバー５により覆われて、複合カメラ全体が構成されている。
【００２８】
次に前記構成されたカメラカバーの作用を説明する。
【００２９】
前記カメラカバー３は、金属板を金型を使用して一体成形することにより形成されており、成形時補強段差３ｃや開口部３ｆ、折り返し部３ｇも同時に成形することができるため、製作も容易である。
【００３０】
また成形されたカメラカバー３は、円筒状部３ａと半球状部３ｂの間に補強段差３ｃが、そして開口部３ｆの両端に折り返し部３ｇが形成されていて、これら補強段差３ｃ及び折り返し部３ｇにより生じたエッジ３ｄ，３ｅ，３ｈによりカメラカバー３全体の横方向の剛性が従来のものに比べて格段に向上するため、カメラ本体を覆うようにカメラ筐体１内に組込んだ際、取付け部品などにより横方向より外力が作用しても変形することがなく、これによってカメラ本体を旋回させ、また上下方向へ１８０度揺動させても、カメラカバー３が旋回手段や揺動手段の駆動部、透明カバー５などと干渉するのを防止することができる。
【００３１】
一方、カメラカバー３を使用した複合カメラを、監視カメラとして使用する場合の作用は従来と同様であるが、カメラ本体を上下方向へほぼ１８０度揺動させることができるため、例えば監視カメラの下を通る人を、監視カメラに向って進行してくるときから、監視カメラの下を通過して、監視カメラより遠ざかるまでを連続的に追尾することができるなど、緊急事態などにも迅速に対応することが可能である。
【００３２】
【発明の効果】
この発明は以上詳述したように、所定位置に取付けられたカメラ筐体内に、旋回及び上下方向へ揺動自在にカメラ本体を収容すると共に、前記カメラ本体を、前記カメラ本体のレンズ部が突出する部分に開口部を有する半球状のカメラカバーで覆った複合カメラにおいて、前記カメラカバーは、前記開口部がほぼ半周に亘って開口され、前記開口部の長手方向に対向する両辺に折り返し部を形成したことから、カメラカバーの横方向の剛性が向上し、カメラ本体を覆うように取付けた際、取付け部品などにより横方向より外力が作用しても変形することがないので、監視カメラとして使用した場合、カメラカバーが旋回手段や揺動手段、透明カバーなどと干渉することがない。
【００３３】
これによってカメラ本体の旋回や揺動が円滑に行えるため、緊急事態などにも容易に対応することができると共に、カメラ本体の旋回及び揺動手段に過負荷が作用することがないため、複合カメラの耐久性を一段と向上させることができる。
【図面の簡単な説明】
【図１】この発明の実施の形態になるカメラカバーを採用した複合カメラの斜視図
【図２】この発明の実施の形態になるカメラカバーの正面図
【図３】この発明の実施の形態になるカメラカバーの平面図
【図４】図２のＸ−Ｘ線に沿う断面図
【図５】図２のＹ円内の拡大斜視図
【図６】従来の複合カメラの斜視図
【図７】（イ）及び（ロ）は従来の複合カメラのカメラカバーを示す作用説明図
【符号の説明】
１    カメラ筐体
２    カメラベース
３    カメラカバー
３ａ  円筒状部
３ｂ  半球状部
３ｃ  補強段差
３ｄ，３ｅ  エッジ
３ｆ  開口部
３ｇ  折り返し部
３ｈ  エッジ
４    レンズ部
５    透明カバー
【図１】
0004338839.tif 000002
【図２】
0004338839.tif 000003
【図３】
0004338839.tif 000004
【図４】
0004338839.tif 000005
【図５】
0004338839.tif 000006
【図６】
0004338839.tif 000007
【図７】
0004338839.tif 000008